(57)【要約】【課題】ピアノ線などの不正用異物の侵入を防ぐことが可能な遊技機の提供を目的とする。【解決手段】遊技者が操作可能な操作手段５３を操作することに起因して遊技を進行させるために作動する遊技装置を設けた遊技構成体７と、遊技構成体７を保持する遊技構成体取付枠５と、遊技構成体７の前方に位置すると共に遊技構成体取付枠５に対し開閉可能にされて閉時には遊技構成体７の前面を覆って遊技構成体が視認可能な透明板扉１０を備え、透明板扉１０を第１透明板扉１１と第１透明板扉の前方に位置する第２透明板扉１３とで構成し、第１透明板扉１１と第２透明板扉１３をそれぞれ遊技構成体取付枠５に対して開閉可能とした。【選択図】      図５
2011167575.tif 000002
【特許請求の範囲】
【請求項１】
遊技者が操作可能な操作手段と、
前記操作手段を操作することに起因して遊技を進行させるために作動する遊技装置を設けた遊技構成体と、
前記遊技構成体を保持する遊技構成体取付枠と、
前記遊技構成体の前方に位置すると共に前記遊技構成体取付枠に対し開閉可能にされて閉時には前記遊技構成体の前面を覆って前記遊技構成体が視認可能な透明板扉を備えた遊技機において、
前記透明板扉は第１透明板扉と前記第１透明板扉の前方に位置する第２透明板扉とを備え、前記第１透明板扉と前記第２透明板扉がそれぞれ前記遊技構成体取付枠に対して開閉可能とされており、
前記遊技構成体または前記遊技構成体取付枠と前記第１透明板扉間に、前記第１透明板扉の閉鎖状態時に前記遊技構成体または遊技構成体取付枠と前記第１透明板扉間の隙間を塞いで前記隙間から異物が侵入するのを防止する第１異物侵入防止部材が設けられていることを特徴とする遊技機。
【請求項２】
前記第１透明板扉と前記第２透明板扉間には、前記第２透明板扉の閉鎖状態時に前記第１透明板扉と前記第２透明板扉間の隙間を塞いで該隙間から異物が侵入するのを塞ぐ第２異物侵入防止部材が設けられていることを特徴とする請求項１に記載の遊技機。
【請求項３】
前記第１透明板扉と前記第２透明板扉間には、遊技状態を報知する電気的装置が設けられていることを特徴とする請求項１または２に記載の遊技機。
【請求項４】
前記電気的装置が前記第１透明板扉と接触しないように設けられていることを特徴とする請求項３に記載の遊技機。
【請求項５】
前記遊技構成体は遊技球の流下する遊技領域の形成された遊技盤からなり、前記電気的装置は音声発生装置であることを特徴とする請求項３または４に記載の遊技機。
【請求項６】
前記第２透明板扉を視認可能な窓部が形成されて前記遊技構成体取付枠に対し開閉可能とされた枠扉を、前記第２透明板扉の前方に備えていることを特徴とする請求項１から５の何れか一項に記載の遊技機。
【請求項７】
前記第２透明板扉を視認可能な窓部が形成されると共に前記窓部とは異なる位置に前記音声発生装置の少なくとも一部を覆う覆い部が形成されて前記遊技構成体取付枠に対し開閉可能とされた枠扉を、前記第２透明板扉の前方に備えていることを特徴とする請求項５に記載の遊技機。
【発明の詳細な説明】
【技術分野】
【０００１】
本発明は、遊技を進行させるために作動する遊技装置を設けた遊技構成体の前方に位置し、かつ遊技構成体取付枠に対して開閉可能にされて前記遊技構成体を視認可能な透明板扉を備えた遊技機に関する。
【背景技術】
【０００２】
従来、弾球遊技機における遊技球が流下可能な遊技領域の形成された遊技盤や、スロット遊技機におけるドラムなどが視認可能なガラス枠などを取り付けた遊技機がある。
【０００３】
また、遊技盤の前面を覆って遊技盤の遊技領域を視認可能とする複数の透明板を設けたガラス扉枠を備えると共に、遊技領域に位置してガラス扉枠の透明板間に電気的表示装置を設けたパチンコ遊技機がある。
【０００４】
しかし、従来の遊技機にあっては、ガラス枠やガラス扉枠を開けて、例えば、遊技構成体の一例である遊技盤に不正が行われるおそれがある。また、遊技機の側方や前方から、遊技盤に向けてピアノ線などの異物が侵入するおそれがあり、遊技盤に対して不正行為が行われるおそれがあった。
【先行技術文献】
【特許文献】
【０００５】
【特許文献１】特開２００３−１５９３８４号公報
【発明の概要】
【発明が解決しようとする課題】
【０００６】
本発明は、前記の点に鑑みなされたものであって、ピアノ線などの不正用異物の侵入による不正等を防ぐことが可能な遊技機の提供を目的とする。
【課題を解決するための手段】
【０００７】
請求項１の発明は、遊技者が操作可能な操作手段と、前記操作手段を操作することに起因して遊技を進行させるために作動する遊技装置を設けた遊技構成体と、前記遊技構成体を保持する遊技構成体取付枠と、前記遊技構成体の前方に位置すると共に前記遊技構成体取付枠に対し開閉可能にされて閉時には前記遊技構成体の前面を覆って前記遊技構成体が視認可能な透明板扉を備えた遊技機において、前記透明板扉は第１透明板扉と前記第１透明板扉の前方に位置する第２透明板扉とを備え、前記第１透明板扉と前記第２透明板扉がそれぞれ前記遊技構成体取付枠に対して開閉可能とされており、前記遊技構成体または前記遊技構成体取付枠と前記第１透明板扉間に、前記第１透明板扉の閉鎖状態時に前記遊技構成体または遊技構成体取付枠と前記第１透明板扉間の隙間を塞いで前記隙間から異物が侵入するのを防止する第１異物侵入防止部材が設けられていることを特徴とする。
【０００８】
請求項２の発明は、請求項１において、前記第１透明板扉と前記第２透明板扉間には、前記第２透明板扉の閉鎖状態時に前記第１透明板扉と前記第２透明板扉間の隙間を塞いで該隙間から異物が侵入するのを塞ぐ第２異物侵入防止部材が設けられていることを特徴とする。
【０００９】
請求項３の発明は、請求項１または２において、前記第１透明板扉と前記第２透明板扉間には、遊技状態を報知する電気的装置が設けられていることを特徴とする。
【００１０】
請求項４の発明は、請求項３において、前記電気的装置が前記第１透明板扉と接触しないように設けられていることを特徴とする。
【００１１】
請求項５の発明は、請求項３または４において、前記遊技構成体は遊技球の流下する遊技領域の形成された遊技盤からなり、前記電気的装置は音声発生装置であることをことを特徴とする。
【００１２】
請求項６の発明は、請求項１から５の何れか一項において、前記第２透明板扉を視認可能な窓部が形成されて前記遊技構成体取付枠に対し開閉可能とされた枠扉を、前記第２透明板扉の前方に備えていることを特徴とする。
【００１３】
請求項７の発明は、請求項５において、前記第２透明板扉を視認可能な窓部が形成されると共に前記窓部とは異なる位置に前記音声発生装置の少なくとも一部を覆う覆い部が形成されて前記遊技構成体取付枠に対し開閉可能とされた枠扉を、前記第２透明板扉の前方に備えていることを特徴とする。
【発明の効果】
【００１４】
請求項１の発明によれば、遊技構成体または遊技構成体取付枠と第１透明板扉間に、第１透明板扉の閉鎖状態時に遊技構成体または遊技構成体取付枠と第１透明板扉間の隙間を塞いで前記隙間から異物が侵入するのを防止する第１異物侵入防止部材が設けられていることにより、遊技構成体または遊技構成体取付枠と第１透明板扉間の隙間からピアノ線などの異物を侵入させて不正を行うのを防止することが可能となる。
【００１５】
請求項２の発明によれば、第１透明板扉と第２透明板扉間には、第２透明板扉の閉鎖状態時に第１透明板扉と第２透明板扉間の隙間を塞いで該隙間から異物が侵入するのを塞ぐ第２異物侵入防止部材が設けられていることにより、第１透明板扉と第２透明板扉間の隙間からピアノ線などの異物を侵入させて不正を行うのを防止することが可能となる。
【００１６】
請求項３の発明によれば、第１透明板扉と第２透明板扉間に、遊技状態を報知する電気的装置が設けられている構成としたことにより、遊技状態を報知する電気的装置を新たな位置に設けることが可能であると共に、第２透明板扉を開放するだけで電気的装置の交換などの作業を行うことが可能である。
【００１７】
請求項４の発明によれば、電気的装置が前記第１透明板扉と接触しないように設けられている構成としたことにより、電気的装置から遊技構成体あるいは遊技構成体から電気的装置への影響により生じる電気的装置や遊技構成体における不具合等を低減することが可能である。
【００１８】
請求項５の発明によれば、遊技構成体は遊技球の流下する遊技領域の形成された遊技盤からなり、電気的装置は音声発生装置であることにより、音声発生装置による振動が第１透明板扉に直接伝わらず、遊技領域を流下する遊技球が第１透明板扉と接触することがあっても、音声発生装置による振動の影響を受けにくく、遊技球の流下が乱れるのを防ぐことが可能となる。
【００１９】
請求項６の発明によれば、第２透明板扉を視認可能な窓部が形成されて遊技構成体取付枠に対し開閉可能とされた枠扉を、第２透明板扉の前方に備えていることにより、第２透明板扉の少なくとも一部を枠扉で保護することが可能となる。さらに、遊技構成体を少なくとも第１透明板扉、第２透明板扉、枠扉により強化して保護することが可能となる。
【００２０】
請求項７の発明によれば、第２透明板扉を視認可能な窓部が形成されると共に窓部とは異なる位置に音声発生装置の少なくとも一部を覆う覆い部が形成されて遊技構成体取付枠に対し開閉可能とされた枠扉を、第２透明板扉の前方に備えていることにより、第２透明板扉の少なくとも一部を枠扉で保護することが可能になると共に遊技構成体を少なくとも第１透明板扉、第２透明板扉、枠扉により強化して保護することが可能となり、さらには音声発生装置を視認し難くすることができ、遊技機に求められる美観や装飾性を高めること可能となる。
【図面の簡単な説明】
【００２１】
【図１】本発明の一実施例に係る遊技機について示す正面図である。
【図２】同遊技機の斜視図である。
【図３】同遊技機における枠扉開放状態の斜視図である。
【図４】同遊技機における枠扉及び第２透明板扉開放状態の斜視図である。
【図５】同遊技機における枠扉、第２透明板扉及び第１透明板扉開放状態の斜視図である。
【図６】同遊技機における枠扉、第２透明板扉、第１透明板扉、遊技構成体取付枠、遊技盤及び木枠の分解斜視図である。
【図７】は同遊技機の遊技盤の正面図である。
【図８】同遊技機における第２透明板扉及び第１透明板扉の上側軸着部を示す図である。
【図９】同遊技機における第２透明板扉及び第１透明板扉の下側軸着部を示す図である。
【図１０】同遊技機におけるロック手段について第２透明板扉及び第１透明板扉の閉鎖状態を示す側面図である。
【図１１】同遊技機におけるロック手段について第２透明板扉開放、第１透明板扉閉鎖状態を示す側面図である。
【図１２】同遊技機におけるロック手段について第２及び第１透明板扉開放状態を示す側面図である。
【図１３】同遊技機における第２及び第１透明板扉における透明板材の取付状態及び着脱作業を示す斜視図及び断面図である。
【図１４】図２のＥ−Ｅにおける概略断面図である。
【図１５】音声発生装置の取付状態の概略図である。
【発明を実施するための形態】
【００２２】
以下添付の図面に基づき本発明の好適な実施形態を説明する。図１は本発明の一実施例に係る遊技機について示す正面図、図２は同遊技機の斜視図、図３は同遊技機における枠扉開放状態の斜視図、図４は同遊技機における枠扉及び第２透明板扉開放状態の斜視図、図５は同遊技機における枠扉、第２透明板扉及び第１透明板扉開放状態の斜視図、図６は同遊技機における枠扉、第２透明板扉、第１透明板扉、遊技構成体取付枠、遊技盤及び木枠の分解斜視図、図７は同遊技機における遊技盤の正面図、図８は同遊技機における第２透明板扉及び第１透明板扉の上側軸着部を示す図、図９は同遊技機における第２透明板扉及び第１透明板扉の下側軸着部を示す図、図１０は同遊技機におけるロック手段について第２透明板扉及び第１透明板扉の閉鎖状態を示す側面図、図１１は同遊技機におけるロック手段について第２透明板扉開放、第１透明板扉閉鎖状態を示す側面図、図１２は同遊技機におけるロック手段について第２及び第１透明板扉開放状態を示す側面図、図１３は同遊技機における第２及び第１透明板扉における透明板材の取付状態及び着脱作業を示す斜視図及び断面図、図１４は図２のＥ−Ｅにおける概略断面図、図１５は音声発生装置の取付状態の概略図である。
【００２３】
図１から図６に示すこの実施例の遊技機１は、遊技媒体として遊技球を用いるパチンコ遊技機であって、木枠３、遊技構成体取付枠５、遊技構成体としての遊技盤７、第１透明板扉１１、第２透明板扉１３、枠扉１５、前記遊技盤７の背面側に取り付けられるＣＰＵを備えた制御装置（図示せず）等からなる。
【００２４】
木枠３は、遊技機１の各構成部品を保護及び保持すると共に、検査等の際に遊技機を直立に載置可能とするための外枠に相当し、遊技機の外周と略等しい枠体からなる。
【００２５】
遊技構成体取付枠５は、中央上部に遊技構成体としての遊技盤７が背面側から取り付けられると共に、遊技盤７における後述の遊技領域７１を遊技構成体取付枠５の前方Ｆ側から視認可能な遊技構成体用開口窓５１が形成されており、また、遊技構成体取付枠５の下部の前面には、払い出された遊技球を受けるための下側球受け皿５２、遊技者の操作により遊技球を遊技領域へ向けて弾発発射する発射装置５３がそれぞれ組み付けられている。なお、前記発射装置５３は本発明において遊技者が操作可能な操作手段に相当する。符号５４は発射装置５３の操作レバーである。
【００２６】
前記遊技構成体取付枠５は、前記木枠３に可動可能に軸着されて開閉可能とされている。本実施例では、前記遊技構成体取付枠５は、左側側部が木枠３の左側側部における前面側の上下にヒンジで回動可能に軸着されると共に、遊技構成体取付枠５の右側側部に前記木枠３に対する開閉用係合爪５５が設けられている。前記係合爪５５は、上下に揺動させることによって、前記木枠３に形成されている係合部（図示せず）と係合及び係合解除可能とされ、係合によって前記木枠３に対する遊技構成体取付枠５の閉状態が維持固定され、一方、係合解除により前記遊技構成体取付枠５の開放が可能になる。
【００２７】
遊技盤７は、本発明において操作手段（本実施例における発射装置５３）を操作することに起因して遊技を進行させるために作動する遊技装置を設けた遊技構成体に相当し、本実施例では前記発射装置５３により発射された遊技球が流下する遊技領域７１が前面に形成されている。前記遊技領域７１は、図７に示すように、遊技盤７の前面の縁に略円形に立設された遊技球の外側ガイドレール６１及び内側ガイドレール６２によって囲まれた部分で構成されている。
【００２８】
前記遊技領域７１には、中心線上にその上部から下部に向かって順に表示装置７３、始動入賞口７６、大入賞口７９、アウト口８３が配設されている。前記表示装置７３は、数字、アルファベット、記号あるいは絵（キャラクタ）等が表示可能なものであって、液晶、ドットマトリックス若しくはＬＥＤ表示装置等の表示装置からなる。この実施例の表示装置７３は、液晶表示器（ＴＦＴ−ＬＣＤモジュール）で構成されている。表示装置７３内の左下には普通図柄表示部７４が組み込まれ、その他の部分が特別図柄表示部７５を構成している。前記普通図柄表示部７４では普通図柄が変動表示及び停止表示可能とされ、前記特別図柄表示部７５では特別図柄が変動表示及び停止表示可能とされる。
【００２９】
また前記表示装置７３の左右には普通図柄変動開始用左ゲート８４及び普通図柄変動開始用右ゲート８５が設けられ、さらにその下方に左袖入賞口８６及び右袖入賞口８７と左落とし入賞口８８及び右落とし入賞口８９がそれぞれ設けられている。なお、符号Ｌ１，Ｌ２はランプ風車、Ｍ１，Ｍ２は風車、Ｋは遊技領域７１に立設された遊導釘である。
【００３０】
前記表示装置７３、前記始動入賞口７６、前記大入賞口７９、前記普通図柄変動開始用左ゲート８４及び前記普通図柄変動開始用右ゲート８５、前記左袖入賞口８６及び前記右袖入賞口８７、前記左落とし入賞口８８及び前記右落とし入賞口８９は、本発明において操作手段（本実施例における発射装置５３）を操作することに起因して遊技を進行させるために作動する遊技装置に相当する。なお、本実施例では、上記装置や各入賞口が遊技装置に相当するものとしているが、それに限るものではなく、遊技の進行に係るその他の装置や入賞口（例えば、第二種非電動役物など）でもよい。以上をまとめると、発射装置により発射された遊技球が流下可能である遊技領域を有する遊技盤を備えており、遊技領域において流下する遊技球の挙動に起因して遊技が進行することになる。それらの作動については、後述する。
【００３１】
第１透明板扉１１及び第２透明板扉１３は、本発明において前記遊技構成体（本実施例における遊技盤７）の前方に位置すると共に前記遊技構成体取付枠５に対し開閉可能にされて閉時には前記遊技構成体（本実施例における遊技盤７）の前面を覆って前記遊技構成体（本実施例における遊技盤７）が視認可能な透明板扉１０に相当する。
【００３２】
前記第１透明板扉１１は、図６及び図１３に示すように、略中央が開口した枠形状からなる第１透明板扉本体１１０と、前記第１透明板扉本体１１０の開口部分１１１に装着されたガラス板や透明プラスチック板等からなる第１透明板材１１２とからなる。前記透明板扉本体１１０には、前記透明板部材１１２を上方から前記開口部分１１１に挿入し、また前記透明板部材１１２を前記開口部分１１１から上方へ抜き取り可能なように、前記開口部分１１１の内周下部及び左右側部に第１透明板部材１１２が嵌るスライド溝１１３，１１４が形成されている。前記第１透明板扉１１は前記遊技盤７の前方位置となるように前記遊技構成体取付枠５に開閉可能に後述の軸着構造で取り付けられている。前記第１透明板扉１１は、閉時に前記遊技盤７を覆うと共に前記第１透明板材１１２を介して前記遊技盤７を視認可能とする。
【００３３】
前記第２透明板扉１３は、図６及び図１３に示すように、略中央が開口した枠形状からなる第２透明板扉本体１３０と、前記第２透明板扉本体１３０の開口部分１３１に装着されたガラス板や透明プラスチック板等からなる透明板材１３２とからなる。前記透明板扉本体１３０には、前記透明板部材１３２を上方から前記開口部分１３１に挿入し、また前記透明板部材１３２を前記開口部分１３１から上方へ抜き取り可能なように、前記開口部分１３１の内周下部及び左右側部に透明板部材１３２が嵌るスライド溝１３３，１３４が形成されている。前記第２透明板扉１３は前記第１透明板扉１１の前方位置となるように前記遊技構成体取付枠５に開閉可能に後述の軸着構造で取り付けられている。前記第２透明板扉１３は、閉時に前記遊技盤７を覆うと共に前記第２透明板材１３２及び前記第１透明板扉１１の第１透明板材１１２を介して前記遊技盤７を視認可能とする。
【００３４】
前記第１透明板扉１１及び前記第２透明板扉１３の前記遊技構成体取付枠５に対する軸着構造について説明する。前記第１透明板扉１１及び前記第２透明板扉１３は左側部の上下が、前記遊技構成体取付枠５における左側部の前面側に軸着されている。
【００３５】
前記第１透明板扉１１における上側の軸着は、図８に示すように、前記遊技構成体取付枠５の前面上部に上側軸受け部材１７が固定され、前記上側軸受け部材１７から前方（前記Ｆ方向）へ向けて突出形成された上側第１軸受け部１７１に、前記第１透明板扉１１の上部が上側第１軸部材１７５で回動可能に軸着されている。また、前記第２透明板扉１３における上側の軸着は、前記上側軸受け部材１７から前記上側第１軸受け部１７１よりも前方へ突出形成された上側第２軸受け部１７３に、上側第２軸部材１７７で前記第２透明板扉１３の上部が回動可能に軸着されている。なお、前記第１透明板扉１１と前記第２透明板扉１３とを各々開閉可能に回動する際に、前記第１透明板扉１１と前記第２透明板扉１３に各々形成された前記上側第１軸受け部１７１や前記上側第２軸受け部１７３が各々挿入可能な貫通孔の開口縁と前記上側第１軸受け部１７１や前記上側第２軸受け部１７３が接触しないように前記上側第１軸受け部１７１や前記上側第２軸受け部１７３は略円弧状に形成されている。この構成により、前記第１透明板扉１１と前記第２透明板扉１３とを各々スムーズに開閉可能に回動することが可能である。
【００３６】
一方、前記第１透明板扉１１における下側の軸着は、図９に示すように、前記遊技構成体取付枠５の前面下部側に下側軸受け部材１８が固定され、前記下側軸受け部材１８から前方（前記Ｆ方向）へ向けて突出形成されている下側受け部１８１に下側第１軸孔１８２が形成され、前記下側第１軸孔１８２に下側第１軸部材１８５で前記第１透明板扉１１の下部が回動可能に軸着されている。また、前記第２透明板扉１３における下側の軸着は、前記下側軸受け部１８１において前記下側第１軸孔１８２よりも前方位置に形成された下側第２軸受け孔１８３に、下側第２軸部材１８７で前記第２透明板扉１３の下部が回動可能に軸着されている。なお、前記下側軸受け部材１８の前端側には、枠扉下側軸着孔１８４が形成され、該枠扉下側軸着孔１８４に軸部材を介して枠扉１５の左側下部が回動可能に軸着されるように構成されている。
【００３７】
前記第１透明板扉１１と前記第２透明板扉１３間には、遊技状態を報知する電気的装置として、図３から図６に示すように、本実施例では音声発生装置１９が設けられている。前記音声発生装置１９は本実施例ではスピーカからなり、前記第１透明板扉１１と接触しないように、前記第２透明板扉１３の内面に取り付けられている。本実施例では、図１５の概略図に示すように、第１透明板扉１１及び第２透明板扉１３の閉鎖状態において、音声発生装置１９の背面が前記第１透明板扉１１と接触せず、前記音声発生装置１９と第１透明板扉間に隙間を有するようにされている。なお、本実施例では、前記第２透明板扉１３において、前記第２透明板材１３２の上部左右コーナー部を覆う上部コーナー枠部１３５の内面側に音声発生装置１９が設けられている。前記音声発生装置１９からは、遊技の当たり等、遊技状態が音声で報知される。
【００３８】
前記第１透明板扉１１及び前記第２透明板扉１３と前記遊技構成体取付枠５間には、前記第１透明板扉１１と前記第２透明板扉１３を前記遊技構成体取付枠５に対して別々に開放阻止（開放禁止）及び開放阻止解除（開放可能に）するロック手段を備えている。さらに前記ロック手段は、前記透明板扉１０の開放時に、前記第２透明板扉１３の開放阻止解除（開放可能）後に、前記第１透明板扉１１の開放阻止解除（開放）を可能にする開放阻止解除機構を備え、また前記透明板扉１０の閉鎖時に、前記第１透明板扉１１の閉鎖及び開放阻止後に前記第２透明板扉１３の閉鎖及び開放阻止を可能にする開放阻止機構を備える。
【００３９】
前記開放阻止解除機構及び前記開放阻止機構を備える本実施例のロック手段は、図６、図１０及び図１１に示すように、前記遊技構成体取付枠５の裏側に上下動可能に取り付けられた鍵部材２０１と、前記遊技構成体取付枠５の裏側から遊技構成体取付枠５の前方（Ｆ方向）へ向けて設けられた第１透明板扉係合爪２０３及び第２透明板扉係合爪２０５と、前記第１透明板扉１１の裏側に設けられた第１透明板扉被係合爪２０７と、前記第２透明板扉１３の裏側に設けられた第２透明板扉被係合爪２０９からなる。
【００４０】
前記鍵部材２０１は、下方へバネにより付勢され、前記遊技構成体取付枠５の前面側に形成された鍵孔２１１に鍵（図示せず）を挿入して一方向へ回転することにより、鍵の先端と係合して上方へスライド可能とされている。
【００４１】
前記第１透明板扉係合爪２０３は、先端が上向きの鈎状に形成され、前記第１透明板扉１１の閉鎖時に、第１透明板扉係合爪２０３の鈎状先端が前記第１透明板扉１１と前記遊技構成体取付枠５間に位置する長さとされている。さらに、前記第１透明板扉係合爪２０３は、前記遊技構成体取付枠５に上下揺動可能に設けられると共に基部側が前記鍵部材２０１と係合しており、前記鍵部材２０１の上方スライドによって前記第１透明板扉係合爪２０３の先端側が下方へ揺動するようにされている。
【００４２】
前記第２透明板扉係合爪２０５は、先端が上向きの鈎状に形成され、前記第１透明板扉１１及び第２透明板扉１３の閉鎖時に、前記第２透明板扉係合爪２０５の鈎状先端が前記第１透明板扉１１と第２透明板扉１３間に位置する長さとされている。さらに、前記第２透明板扉係合爪２０５は、前記遊技構成体取付枠５に上下揺動可能に設けられると共に基部側が前記鍵部材２０１と係合しており、前記鍵部材２０１の上方スライドによって第２透明板扉係合爪２０５の先端側が下方へ揺動するようにされている。
【００４３】
前記第２透明板扉係合爪２０５及び前記第１透明板扉係合爪２０３は、何れも鈎状先端の上端が水平方向へ屈曲した屈曲部２０６，２０４とされ、かつ前記屈曲部２０６，２０４は前方へ（Ｆ方向）へ向けて下方へ傾斜している。また、前記第２透明板扉係合爪２０５及び前記第１透明板扉係合爪２０３は、前記鍵部材２０１がバネによって常時下方へ付勢されていることによって、通常時においては、前記先端側が上方位置にある。前記第２透明板扉係合爪２０５及び前記第１透明板扉係合爪２０３の下方揺動は、前記鍵孔２１１に挿入した鍵を一方向へ回転させることによる前記鍵部材２０１の上方スライド時、まず前記第２の透明板扉係合爪２０５の先端側が下方へ揺動する。このとき、前記第１の透明板扉係合爪２０３はまだ下方へ揺動せず、先端が上方に位置する。次いで、前記鍵をさらに同方向へ回転させて前記鍵部材２０１をさらに下方へスライドさせると、前記第１透明板扉係合爪２０３の先端爪部側が下方へ揺動する。
【００４４】
前記第１透明板扉被係合爪２０７は、前記第１透明板扉１１の裏側に遊技構成体取付枠５へ向けて形成されている。前記第１透明板扉被係合爪２０７の先端は下向きに鈎状に形成され、前記第１透明板扉１１の閉状態において、前記上方位置にある前記第１透明板扉係合爪２０３の鈎状先端と係合することにより、前記第１透明板扉１１の開放阻止が行われる。また、前記第１透明板扉係合爪２０３の下方揺動により、前記第１透明板扉被係合爪２０７の鈎状先端と前記第１透明板扉係合爪２０３の鈎状先端との係合が解除されて前記第１透明板扉１１の開放阻止解除が行われる。
【００４５】
前記第２透明板扉被係合爪２０９は、前記第２透明板扉１３の裏側に第１透明板扉１１へ向けて形成されている。前記第２透明板扉被係合爪２０９の先端は下向きに鈎状に形成され、前記第２透明板扉１３の閉状態において、前記上方位置にある前記第２透明板扉係合爪２０５の鈎状先端と係合することにより、前記第２透明板扉１３の開放阻止が行われる。また、前記第２透明板扉係合爪２０５の下方揺動により、前記第２透明板扉被係合爪２０９の鈎状先端と前記第２透明板扉係合爪２０５の鈎状先端との係合が解除されて前記第２透明板扉１３の開放阻止解除が行われる。図１０の１０Ｂに示すように、前記第２透明板扉被係合爪２０９における前後方向の厚みｄは、閉状態の前記第１透明板扉１１と第２透明板扉１３間の間隔ｄ１と略等しくされている。そのため、前記第２透明板扉１３の閉状態においては、万一、前記第１透明板扉係合爪２０３と前記第１透明板扉被係合爪２０７との係合が解除される事態が発生しても、前記第２透明板扉被係合爪２０９における前後方向の厚みｄにより、前記第２透明板扉被係合爪２０９と前記第１透明板扉１１が接触して前記第１透明板扉１１の開放が阻止される。
【００４６】
前記ロック手段の開放阻止解除機構による前記第１透明板扉１１及び前記第２透明板扉１３の開放について、図１０及び図１１を用いて説明する。図１０に示す前記第１透明板扉１１及び前記第２透明板扉１３の閉鎖状態において、前記鍵孔２１１に鍵（図示せず）を挿入して一方向へ回転させると、前記鍵部材２０１が上方へスライドし、それによって前記第２透明板扉係合爪２０５が、図１０の１０Ｃのように下方へ揺動して前記第２透明板扉係合爪２０５と前記第２透明板扉被係合爪２０９の係合が外れ、前記第２透明板扉１３の開放阻止が解除されて前記第２透明板扉１３が開放される。次に、前記第２透明板扉１３が開放された図１１の状態で、前記鍵を前記と同一方向へさらに回転させると、前記鍵部材２０１が上方へさらにスライドし、それによって前記第１透明板扉係合爪２０３が、図１１の１１Ｃのように下方へ揺動して前記第１透明板扉係合爪２０３と前記第１透明板扉被係合爪２０７の係合が外れ、前記第１透明板扉１１の開放阻止が解除されて前記第１透明板扉１１が開放され、前記第１透明板扉１１と前記第２透明板扉１３の開放状態となる。図１２は前記第１透明板扉１１と前記第２透明板扉１３の開放状態を示す。
【００４７】
前記ロック手段の前記開放阻止機構による前記第１透明板扉１１及び前記第２透明板扉１３の開放阻止について説明する。図５及び図１２に示す前記第１透明板扉１１と前記第２透明板扉１３の開放状態から、前記第１透明板扉１１を前記遊技構成体取付枠５へ向け回動させて閉鎖する際、前記第１透明板扉被係合爪２０７の先端が、前記第１透明板扉係合爪２０３の先端における傾斜した屈曲部２０４と接触して前記第１透明板扉係合爪２０３を下方へ揺動させながら前記遊技構成体取付枠５へ接近し、最終的に前記第１透明板扉被係合爪２０７と前記第１透明板扉係合爪２０３が係合し、これによって前記第１透明板扉１１の開放が阻止される。また、前記第１透明板扉１１の閉鎖及び開放阻止によって、前記第１透明板扉１１の鍵用開口１１５（図６に示す）から第２透明板扉係合爪２０５が、図１１の１１Ａ及び１１Ｂに示すように、第１透明板扉１１の前方へ突出し、その後に第２透明板扉１３の閉鎖及び開放阻止が可能となる。そして、図１１の１１Ａ及び１１Ｂに示す前記第１透明板扉１１の閉鎖及び開放阻止状態から、前記第２透明板扉１３を前記第１透明板扉１１へ向け回動させて閉鎖する際に、前記第２透明板扉被係合爪２０９の先端が、前記第２透明板扉係合爪２０５の先端における傾斜した屈曲部２０６と接触して前記第２透明板扉係合爪２０５を下方へ揺動させながら前記第１透明板扉１１へ接近し、最終的に前記第２透明板扉被係合爪２０９と前記第２透明板扉係合爪２０５が係合し、これによって前記第２透明板扉１３の開放が阻止される。
【００４８】
また、前記第１透明板扉１１と前記遊技構成体（本実施例における遊技盤７）あるいは前記遊技構成体取付枠５の側部には、前記第１透明板扉１１の閉鎖状態時に前記遊技構成体（本実施例における遊技盤７）または遊技構成体取付枠５と前記第１透明板扉１１間の隙間を塞いで前記隙間からピアノ線等の異物が侵入するのを防止する第１異物侵入防止部材が設けられている。前記異物の侵入防止により、遊技構成体等に不正が行われるのを防ぐことが可能となる。本実施例では、図４、図６、図１４に示すように、ゴムやスポンジ等からなる棒状の弾性角材で構成される第１異物侵入防止部材２２１が、前記第１透明板扉１１の右側部裏面において、前記第１透明板扉１１の閉鎖時に前記遊技構成体（遊技盤７）と対向する位置に設けられている。さらに、前記第１透明板扉１１と前記第２透明板扉１３間には、前記第２透明板扉１３の閉鎖状態時に前記第１透明板扉１１と前記第２透明板扉１３間の隙間を塞いで該隙間からピアノ線等の異物が侵入するのを塞ぐ第２異物侵入防止部材が設けられている。前記異物の侵入防止により、音声発生装置等や前記遊技構成体等に不正が行われるのを防ぐことが可能となる。本実施例では、図４から図６、図１４に示すように、ゴムやスポンジ等からなる棒状の弾性角材で構成される第２異物侵入防止部材２２２が、前記第２透明板扉１３の右側部裏面において、前記第２透明板扉１３の閉鎖時に前記第１透明板扉１１の前面右側部と対向する位置に設けられている。
【００４９】
枠扉１５は、前記第２透明板扉１３を視認可能な窓部１５１が形成された枠体からなり、前記第２透明板扉の前方に配置されて左側部がヒンジで前記遊技構成体取付枠５に軸着され、前記遊技構成体取付枠５に対して開閉可能にされている。また、前記枠扉１５において前記窓部１５１とは異なる位置、本実施例では窓部１５１の上方には、前記音声発生装置１９の少なくとも一部を覆う覆い部１５２が形成されている。また、前記枠扉１５の前面下部には、払出装置から払い出される遊技球を受けるための上側球受け皿１５３が形成され、前記上側球受け皿１５３の飽和時に前記下側球受け皿５２で受けるように構成されている。なお、本実施例では、前記枠扉１５は、前記鍵を一方向へ回す際に最初に開放可能とされ、その後に前記第２透明板扉１３と前記第１透明板扉１１が順に開放可能とされる。例えば、前記鍵を右方向へ４５度回転させると前記枠扉１５が開放され、さらに右方向へ鍵を４５度（最初からは９０度）回すと前記第２透明板扉１３が開放され、さらに右方向へ４５度（最初からは１３５度）回すと前記第１透明板扉１１が開放される。
【００５０】
ここで、前記遊技機１における遊技について、簡単に説明する。前記遊技領域７１へ向けて前記発射装置５３により発射された遊技球が、前記種々の入賞口に入賞すると入賞口に応じた所定数の遊技球が賞球として上側球受け皿１５３に払い出される。また、前記普通図柄変動開始用左、右ゲート８４，８５を遊技球が通過すると、制御装置の作動により小当たり判定・普通図柄決定用乱数値が取得され、その取得乱数値に基づいて普通図柄の当たり（小当たり）判定が行われ、前記普通図柄表示部７４で普通図柄が変動を開始し、所定時間変動後に停止する。その際、前記普通図柄の当たり判定結果が小当たりの場合には、小当たり普通図柄、この例では奇数で停止し、前記始動入賞口７６の２つの可動片７７ａ，７７ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口７６に遊技球が入賞すると、所定数の遊技球が賞球として払い出される。
【００５１】
また、前記始動入賞口７６に遊技球が入賞すると、制御装置の作動により、大当たり当否判定用乱数値及び大当たり確定特別図柄の組合せ決定用乱数値が取得され、前記取得された大当たり当否判定用乱数値に基づいて大当たりの当否判定が行われ、前記表示装置７３の特別図柄表示部７５で特別図柄が変動を開始し、所定時間変動後に停止する。
【００５２】
前記大当たりの当否判定結果が大当たりの場合には、前記特別図柄表示部７５に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記特別遊技状態になると、前記大入賞口７９の開閉板７９ａが開いて遊技領域７１の表面を落下してくる遊技球を受け止め易くして、大入賞口７９へ入賞可能にし、該大入賞口７９への入賞があると、所定数の遊技球が賞球として払い出される。前記開閉板７９ａは、所定時間（例えば２９．５秒）経過後、或いは入賞球数が所定個数（例えば１０個）となった時点で閉じるようにされている。また、前記大入賞口７９の開放中又は大入賞口７９が閉じてから約２秒以内に、大入賞口内の特定領域入賞口への入賞球が検出されると、前記大当たりを再度繰り返す継続権利が発生し、所定最高回数（例えば最高１６回）、前記開閉板７９ａの開放を繰り返すようになっている。
【００５３】
本実施例の遊技機１は、このように、遊技構成体の前方に第１透明板扉を開閉可能に設け、さらに前記第１透明板扉の前方に第２透明板扉を開閉可能に設けたため、遊技構成体の前面を開放して遊技装置に不正を行うには、第２透明板扉と第１透明板扉の両方を開放しなければならないため、不正行為に手間取ることになって不正に対する意欲を減退させることができ、不正行為を防止することが可能となる。また、不正行為に手間取るため不正行為の発見が容易になる。
【００５４】
前記実施例を概念的にまとめると以下の通りである。
（１）遊技者が操作可能な操作手段と、
前記操作手段を操作することに起因して遊技を進行させるために作動する遊技装置を設けた遊技構成体と、
前記遊技構成体を保持する遊技構成体取付枠と、
前記遊技構成体の前方に位置すると共に前記遊技構成体取付枠に対し開閉可能にされて閉時には前記遊技構成体の前面を覆って前記遊技構成体が視認可能な透明板扉を備えた遊技機において、
前記透明板扉は第１透明板扉と前記第１透明板扉の前方に位置する第２透明板扉とを備え、前記第１透明板扉と前記第２透明板扉がそれぞれ前記遊技構成体取付枠に対して開閉可能とされていることを特徴とする遊技機。
【００５５】
（２）前記第１透明板扉及び前記第２透明板扉を前記遊技構成体取付枠に対して別々に開放阻止及び開放阻止解除するロック手段を設けたことを特徴とする（１）に記載の遊技機。
（３）前記ロック手段は、前記第２透明板扉の開放阻止解除後に前記第１透明板扉の開放阻止解除を可能にする開放阻止解除機構を備えることを特徴とする（２）に記載の遊技機。
（４）前記ロック手段は、前記第１透明板扉の閉鎖及び開放阻止後に前記第２透明板扉の閉鎖及び開放阻止を可能にする開放阻止機構を備えることを特徴とする（２）または（３）に記載の遊技機。
【００５６】
（５）前記遊技構成体または前記遊技構成体取付枠と前記第１透明板扉間に、前記第１透明板扉の閉鎖状態時に前記遊技構成体または遊技構成体取付枠と前記第１透明板扉間の隙間を塞いで前記隙間から異物が侵入するのを防止する第１異物侵入防止部材が設けられていることを特徴とする（１）から（４）の何れか一に記載の遊技機。
（６）前記第１透明板扉と前記第２透明板扉間には、前記第２透明板扉の閉鎖状態時に前記第１透明板扉と前記第２透明板扉間の隙間を塞いで該隙間から異物が侵入するのを塞ぐ第２異物侵入防止部材が設けられていることを特徴とする（１）から（５）の何れか一に記載の遊技機。
【００５７】
（７）前記第１透明板扉と前記第２透明板扉間には、遊技状態を報知する電気的装置が設けられていることを特徴とする（１）から（６）の何れか一に記載の遊技機。
（８）前記電気的装置が前記第１透明板扉と接触しないように設けられていることを特徴とする（７）に記載の遊技機。
【００５８】
（９）前記遊技構成体は遊技球の流下する遊技領域の形成された遊技盤からなり、前記電気的装置は音声発生装置であることを特徴とする（７）または（８）に記載の遊技機。
（１０）前記第２透明板扉を視認可能な窓部が形成されて前記遊技構成体取付枠に対し開閉可能とされた枠扉を、前記第２透明板扉の前方に備えていることを特徴とする（１）から（９）の何れか一に記載の遊技機。
（１１）前記第２透明板扉を視認可能な窓部が形成されると共に前記窓部とは異なる位置に前記音声発生装置の少なくとも一部を覆う覆い部が形成されて前記遊技構成体取付枠に対し開閉可能とされた枠扉を、前記第２透明板扉の前方に備えていることを特徴とする（９）に記載の遊技機。
【００５９】
前記（１）〜（１１）の構成の効果をまとめると以下の通りである。
（１）によれば、遊技構成体の前面を開放して遊技装置に不正を行うには、第２透明板扉と第１透明板扉の両方を開放しなければならないため、不正行為に手間取ることになって不正に対する意欲を減退させることができ、不正行為を防止することが可能となる。また、不正行為に手間取るため不正行為の発見が容易になる。また、第２透明板扉と第１透明板扉を有しているため、仮にピアノ線などの不正用異物が侵入した場合においても第１透明板扉や第２透明板扉等に接触する可能性が高くなり、不正用異物などの侵入による不正などを防止することが可能である。
【００６０】
（２）によれば、第１透明板扉及び第２透明板扉を遊技構成体取付枠に対して別々に開放阻止及び開放阻止解除するロック手段を設けたことにより、遊技構成体の前面を開放して遊技装置に不正を行うには、第２透明板扉と前記第１透明板扉の両方の透明板扉についてロック手段により開放阻止解除を行わねばならず、またその後に両方の透明板扉を閉じてロック手段により開放阻止を行わねばならないため、不正行為に手間取ることになって不正に対する意欲を減退させることができ、不正行為を防止することが可能となる。また、不正行為に手間取るため不正行為の発見が容易になる。
【００６１】
（３）によれば、ロック手段が、第２透明板扉の開放阻止解除後に第１透明板扉の開放阻止解除を可能にする開放阻止解除機構を備えたことにより、遊技構成体の前面を開放して遊技装置に不正を行おうとしても、第２透明板扉と第１透明板扉を一緒に同時に開放することができず、まず第２透明板扉を開放した後に第１透明板扉を開放しなければならないため、不正行為に手間取ることになって不正に対する意欲を減退させることができ、不正行為を防止することが可能となる。また、不正行為に手間取るため不正行為の発見が容易になる。
【００６２】
（４）によれば、第１透明板扉の閉鎖及び開放阻止後に第２透明板扉の閉鎖及び開放阻止を可能にする開放阻止機構を備えたことにより、不正を目的として遊技構成体の前面を開放後閉鎖しようとしても、第２透明板扉と第１透明板扉を一緒に同時に閉鎖及び開放阻止をすることができず、まず第１透明板扉を閉じた後に第２透明板扉を閉じなければならないため、不正行為に手間取ることになって不正に対する意欲を減退させることができ、不正行為を防止することが可能となる。また、不正行為に手間取るため不正行為の発見が容易になる。
【００６３】
（５）によれば、遊技構成体または遊技構成体取付枠と第１透明板扉間に、第１透明板扉の閉鎖状態時に遊技構成体または遊技構成体取付枠と第１透明板扉間の隙間を塞いで前記隙間から異物が侵入するのを防止する第１異物侵入防止部材が設けられていることにより、遊技構成体または遊技構成体取付枠と第１透明板扉間の隙間からピアノ線などの異物を侵入させて不正を行うのを防止することが可能となる。
【００６４】
（６）によれば、第１透明板扉と第２透明板扉間には、第２透明板扉の閉鎖状態時に第１透明板扉と第２透明板扉間の隙間を塞いで該隙間から異物が侵入するのを塞ぐ第２異物侵入防止部材が設けられていることにより、第１透明板扉と第２透明板扉間の隙間からピアノ線などの異物を侵入させて不正を行うのを防止することが可能となる。
【００６５】
（７）によれば、第１透明板扉と第２透明板扉間に、遊技状態を報知する電気的装置が設けられている構成としたことにより、遊技状態を報知する電気的装置を新たな位置に設けることが可能であると共に、第２透明板扉を開放するだけで電気的装置の交換などの作業を行うことが可能である。
【００６６】
（８）によれば、電気的装置が前記第１透明板扉と接触しないように設けられている構成としたことにより、電気的装置から遊技構成体あるいは遊技構成体から電気的装置への影響により生じる電気的装置や遊技構成体における不具合等を低減することが可能である。
【００６７】
（９）によれば、遊技構成体は遊技球の流下する遊技領域の形成された遊技盤からなり、電気的装置は音声発生装置であることにより、音声発生装置による振動が第１透明板扉に直接伝わらず、遊技領域を流下する遊技球が第１透明板扉と接触することがあっても、音声発生装置による振動の影響を受けにくく、遊技球の流下が乱れるのを防ぐことが可能となる。
【００６８】
（１０）によれば、第２透明板扉を視認可能な窓部が形成されて遊技構成体取付枠に対し開閉可能とされた枠扉を、第２透明板扉の前方に備えていることにより、第２透明板扉の少なくとも一部を枠扉で保護することが可能となる。さらに、遊技構成体を少なくとも第１透明板扉、第２透明板扉、枠扉により強化して保護することが可能となる。
【００６９】
（１１）によれば、第２透明板扉を視認可能な窓部が形成されると共に窓部とは異なる位置に音声発生装置の少なくとも一部を覆う覆い部が形成されて遊技構成体取付枠に対し開閉可能とされた枠扉を、第２透明板扉の前方に備えていることにより、第２透明板扉の少なくとも一部を枠扉で保護することが可能になると共に遊技構成体を少なくとも第１透明板扉、第２透明板扉、枠扉により強化して保護することが可能となり、さらには音声発生装置を視認し難くすることができ、遊技機に求められる美観や装飾性を高めること可能となる。
【００７０】
なお、本発明は、本実施例に限定されず、発明の趣旨を逸脱しない範囲で変更可能である。本実施例では、弾球遊技機（パチンコ遊技機）を例にして説明したが、本発明の遊技機は、スロットであってもよい。また、遊技構成体は遊技領域を有する遊技盤に限定されず、例えばスロットのドラムを有するものであってもよい。この場合、ドラムなどが遊技装置に相当し、乱数抽選やドラムを駆動する等のための起因となるレバーや、ドラムを停止するための起因となる押しボタンなどが操作手段に相当し、レバーや押しボタン等の操作手段を操作することに起因して乱数抽選を行ったり、ドラムが駆動・停止などすることで遊技が進行する構成である。また、前記第１透明板扉及び第２透明板扉はガラス等の透明板材の単独で構成してガラス等の透明板材を直接ヒンジ部等で遊技構成体取付枠に軸着してもよい。
【００７１】
前記透明板扉は第１透明板扉と第２透明板扉の２枚に限定されず、３枚以上であってもよく、その場合には、遊技状態を報知する電気的装置が第１透明板扉と接触しないように設けられればよい。また、遊技状態を報知する電気的装置が複数の透明板扉に設けられていてもよい。さらに、音声発生装置は、低音専用や高音専用に振り分けた音声発生装置を複数設けてもよい。
【００７２】
本実施例では、第１透明板扉、第２透明板扉、枠扉等は、同一方向へ回動して開閉可能とされているが、各扉が異なる方向へ回動するように設けられていてもよい。また、遊技状態を報知する電気的装置は、音声発生装置に限定されず、発光体や表示装置等であってもよい。なお、電気的装置が第１透明板扉と接触しないように設けることにより、電気的装置から発生する振動やノイズなどが遊技構成体に影響を与えたり、逆に遊技構成体から発生する振動やノイズなどが電気的装置に影響を与え、その結果、電気的装置や遊技構成体が不具合を起こす等のおそれを低減することが可能である。
【００７３】
本実施例では、第１透明板扉と第２透明板扉は、略同一の大きさとされているが、それに限るものではなく、異なる大きさ及び形状としてもよい。例えば、第２透明板扉を第１透明板扉よりも小さくし、仮に前方側から異物が第２透明板扉を超えて侵入しようとしても、異物が第１透明板扉にぶつかって遊技構成体側へ侵入できないようにして不正を防止する構成としてもよい。また、第２透明板扉を第１透明板扉よりも大きくし、仮に前方側から異物が侵入しようとしても、異物が第１透明板扉側へ侵入するには第２透明板扉を乗り越えなければならず、異物の侵入に手間取るようにして不正を防止する構成としてもよい。すなわち、大きさや形状を異ならせることによって、異物の侵入ルートを複雑にして手間取るようにし、異物侵入による不正を防止する構成としてもよい。
【００７４】
第１及び第２異物侵入防止部材は、本実施例では第１透明板扉及び第２透明板扉の側部に設けているが、それに限られず、異物侵入ルートを複雑化することが可能であれば、どこに設けてもよい。また、本実施例では、第１透明板扉１１や第２透明板扉１３を開閉可能に回動するために、遊技構成体取付枠５に上側第１軸受け部１７１及び上側第２軸受け部１７３を形成した上側軸受け部材１７や下側第１軸孔１８２及び下側第２軸孔１８３を形成した下側軸受け部材１８を設ける一方、第１透明板扉１１に上側第１軸部材１７５及び下側第１軸部材１８５を設けると共に第２透明板扉１３に上側第２軸部材１７７及び下側第２軸部材１８７を設けている。すなわち、第１透明板扉の一端を軸にして開閉可能に回動する第１軸部及び第１軸受け部と、第２透明板扉の一端を軸にして開閉可能に回動する第２軸部及び第２軸受け部を備えており、遊技機構成体取付枠に第１軸受け部と第２軸受け部とを設ける一方、第１軸部は第１透明板扉に設けており、第２軸部は第２透明板扉に設けた構成である。しかしながら、この構成に限るものではなく、例えば、第１軸部と第２軸部を遊技構成体取付枠に、第１軸受け部を第１透明板扉に、第２軸受け部を第２透明板扉に設ける構成でもよいし、第１軸受け部や第２軸受け部を例えば枠扉に設ける等の構成でもよい。また、第１軸受け部と第２軸受け部とを一つの軸受け部材で構成してもよいし、第１軸部と第２軸部を一つの軸部材で構成してもよい。その他、第１透明板扉と第２透明板扉が開閉可能に回動する構成であれば、軸部と軸受け部の位置・構成は適宜変更可能である。以上まとめると、遊技機には第１透明板扉の一端を軸にして開閉可能に回動する第１軸部及び第１軸受け部と、第２透明板扉の一端を軸にして開閉可能に回動する第２軸部及び第２軸受け部とを備えており、この構成により第１透明板扉と第２透明板扉を各々開閉可能に回動することが可能である。
【符号の説明】
【００７５】
１  遊技機
３  木枠
５  遊技構成体取付枠
７  遊技盤（遊技構成体）
１０  透明板扉
１１  第１透明板扉
１３  第２透明板扉
１５  枠扉
１９  音声発生装置（遊技状態を報知する電気的装置）
５３  発射装置
１５１  枠扉の窓部
１５２  音声発生装置の覆い部
２２１  第１異物侵入防止部材
２２２  第２異物侵入防止部材
【図１】
2011167575.tif 000003
【図２】
2011167575.tif 000004
【図３】
2011167575.tif 000005
【図４】
2011167575.tif 000006
【図５】
2011167575.tif 000007
【図６】
2011167575.tif 000008
【図７】
2011167575.tif 000009
【図８】
2011167575.tif 000010
【図９】
2011167575.tif 000011
【図１０】
2011167575.tif 000012
【図１１】
2011167575.tif 000013
【図１２】
2011167575.tif 000014
【図１３】
2011167575.tif 000015
【図１４】
2011167575.tif 000016
【図１５】
2011167575.tif 000017